(57)【要約】【課題】例えばユニットバスの洗い場に設けた排水トラップの排水口部における抗菌、消臭機能を持つ浴室用ヘアキャッチャーを提供すること。【解決手段】ぬめり除去剤９が収容された状態で浴室の洗い場１の排水口部３に設置され、前記排水口部３における抗菌、消臭を行うように構成されている。【選択図】        図１
2005009219.tif 000002
【特許請求の範囲】
【請求項１】
ぬめり除去剤が収容された状態で浴室の洗い場の排水口部に設置され、前記排水口部における抗菌、消臭を行うことを特徴とする浴室用ヘアキャッチャー。
【請求項２】
前記ぬめり除去剤が収容される凹み部分を有し、前記排水口部に形成された段差部分に設置されるメッシュ状のヘアキャッチャー本体と、前記ぬめり除去剤が収容された状態で前記凹み部分を覆うメッシュ状の蓋体とを備え、更に、前記ヘアキャッチャー本体は、前記凹み部分の底部中央に設けた係止用突片を有し、また、前記蓋体は、前記係止用突片に対応する位置に前記係止用突片に係合する係合部材を有する請求項１に記載の浴室用ヘアキャッチャー。
【請求項３】
ユニットバスに用いられる請求項１または請求項２に記載の浴室用ヘアキャッチャー。
【発明の詳細な説明】
【０００１】
【発明の属する技術分野】
この発明は、例えばユニットバスの洗い場に設置される浴室用ヘアキャッチャーに関するものである。
【０００２】
【従来の技術および発明が解決しようとする課題】
例えばユニットバスの洗い場に設けた排水トラップの排水口部内に髪の毛やゴミ等を捕獲するヘアキャッチャーが設置されているが、排水口部のぬめりを除去する機能を持つヘアキャッチャーはなかった。
【０００３】
この発明は、上記問題に鑑みてなしたもので、例えばユニットバスの洗い場に設けた排水トラップの排水口部における抗菌、消臭機能を持つ浴室用ヘアキャッチャーを提供することを目的としている。
【０００４】
【課題を解決するための手段】
上記目的を達成するために、この発明の浴室用ヘアキャッチャーは、ぬめり除去剤が収容された状態で浴室の洗い場の排水口部に設置され、前記排水口部における抗菌、消臭を行うことを特徴とする。
【０００５】
【発明の実施の形態】
以下にこの発明の実施形態について説明する。なお、それによって、この発明は限定されるものではない。
【０００６】
図１〜図５は、ぬめり除去剤を収容するヘアキャッチャー本体と蓋体とを別体で形成してあるこの発明の第１の実施形態を示す。
【０００７】
図１〜図５において、１は、ユニットバスの洗い場で、片隅に例えば排水トラップ２の取り付け穴３が形成されている。排水トラップ２の排水口部３は、板状の排水孔付蓋（図示せず）が載置される例えば環状の載置部分４と、この載置部分４によって形成される丸穴４ａよりも小さな面積を持つ排水丸穴５を有する筒状部分６と、載置部分４および筒状部分６間に形成される段差部分７とより主として構成される。前記段差部分７は、前記載置部分４の内周面から前記筒状部分６の環状の上面６ａに至る部分で構成される。
【０００８】
以下、この発明の特徴的構成について説明する。
【０００９】
８は、抗菌、消臭用の複数の粒状のぬめり除去剤９が収容された状態で浴室の洗い場１の前記排水口部３に設置され、髪の毛やゴミ等を捕獲するメッシュ状のヘアキャッチャーで、前記排水口部３における抗菌、消臭を行う役目を兼用する。前記ヘアキャッチャー８は、ハットを上下逆さまにした形状をなすメッシュ状のヘアキャッチャー本体１０とこれとは別体のメッシュ状の蓋体１１とからなる。前記ヘアキャッチャー本体１０は、複数のぬめり除去剤９が収容される有底筒状の凹み部分１２を中央に有し、この凹み部分１２の円形の上方開口１２ａのまわりに外向きの環状フランジ１３を有する。凹み部分１２の円形の底面部１４と側面部１５もメッシュ状で、側面部１５は、下へいくほど内側に傾斜する先細り状の断面を有する。そして、前記筒状部分６の環状の上面６ａに前記環状フランジ１３が支持される形で凹み部分１２が排水丸穴５内に嵌込まれる。
【００１０】
一方、前記蓋体１１は、下方開口１１ａを有し、円形の上面部３０および側面部１８を有する断面王冠形状で、凹み部分１２の上方開口１２ａを介して凹み部分１２内に嵌挿される大きさを有する。すなわち、前記蓋体１１は、蓋体１１を凹み部分１２に嵌込んだ状態では、凹み部分１２の側面部１５の内側に当接する大きさの前記側面部１８を有するとともに、蓋体１１の上面ｍとヘアキャッチャー本体１０の前記フランジ１３の上面１３ａが面一になるよう凹み部分１２の深さと蓋体１１の高さが設定されている。前記蓋体１１は、ぬめり除去剤９が収容された状態で前記凹み部分１２に嵌込まれる。
【００１１】
そして、蓋体１１を凹み部分１２に嵌込んだ状態で、排水が勢い良く流れてもヘアキャッチャー本体１０から蓋体１１が外れないよう、両者１０，１１の係止手段が設けられている。２０は、凹み部分１２の底面部１４の中央に設けた係止用上向き突片で、舌片状に形成されており、ヘアキャッチャー本体１０の把手としても機能する。また、２１は、両矢印Ａで示す左右方向に変形自在な縦断面門型の挟み部材で、蓋体１１の上面部３０の中央部分（中心部分）の下面側に形成された平面視矩形の基部３１と、基部３１の左右から下向きに突出した一対の細長の板部分３２，３２とで構成される。図２は、突片２０を板部分３１，３１で挟む前の挟み部材２０を示し、図３は、突片２０を板部分３１，３１で挟んでいる状態の挟み部材２０を示す。すなわち、板部分３１，３１同士は、内面の下部の対向位置に突起３３，３３を有するとともに、各板部分３１は、挟み込む前記突片２０が板部分３２，３２内に挿入され易いように外側に拡がった形状に形成された下部先端部分３４を有する。一方、前記突片２０は、板部分３１の突起３３が嵌まり込むよう左右両面を切欠いて形成された嵌込孔３５を有する。
【００１２】
而して、ヘアキャッチャー本体１０の凹み部分１２内に複数のぬめり除去剤９を収容した後、蓋体１１の挟み部材２１で凹み部分１２の底面部１４に設けた係止用上向き突片２０を挟むよう蓋体１１をヘアキャッチャー本体１０にセットすると、凹み部分１２の上方開口１２ａが蓋体１１の上面部３０で覆われることになる。この状態で、ヘアキャッチャー８を、排水トラップ２の排水口部３の排水丸穴５を覆うように嵌込む。排水がヘアキャッチャー８内を勢い良く流れても蓋体１１はヘアキャッチャー本体１０に係合しているので外れることはない。そして、排水がヘアキャッチャー８を通り抜けるときに、複数のぬめり除去剤９に接触し、ヘアキャッチャー８と排水トラップ２の排水口部３における抗菌、消臭を行うことになる。
【００１３】
図６は、複数の粒状のぬめり除去剤９の代わりに一つの大形の筒体形状のぬめり除去剤９’を用いたこの発明の第２の実施形態を示す。図６において、図１〜図５に示した符号と同一のものは同一または相当物である。
【００１４】
図７〜図９は、ぬめり除去剤を収容するヘアキャッチャー本体の凹み部分を覆う蓋体をヒンジで開閉自在に構成したこの発明の第３の実施形態を示す。図７〜図９において、図１〜図６に示した符号と同一のものは同一または相当物である。
【００１５】
図７〜図９において、２０’は、凹み部分１２の底面部１４の中央に設けた把手で、舌片状に形成されている。ヘアキャッチャー８は、ハットを上下逆さまにした形状をなすメッシュ状のヘアキャッチャー本体１０と、メッシュ状の蓋体１１と、蓋体１１を開閉自在に構成するヒンジ部４０とよりなる。蓋体１１は、ぬめり除去剤９が収容された状態でヘアキャッチャー８の凹み部分１２を覆う。４２は、外環状体で、凹み部分１２の円形の上方開口１２ａのまわりに連設された外向きの環状フランジ１３の更に外側に環状フランジ１３を囲むよう形成されている。そして、前記ヒンジ部４０は、外環状体４２と蓋体１１を連結する連結体４４と、連結体４４の一端で、外環状体４２側に設けたヒンジ本体４５と、連結体４４の蓋体１１側に設けた係合孔４６と、ヒンジ本体４５を介して連結体４４をヘアキャッチャー本体１０側に凹み部分１２を覆うよう回動させたときに前記係合孔４６に係合する突起片４７とよりなる。この突起片４７は、前記環状フランジ１３の表面上に設けられている。
【００１６】
而して、ヘアキャッチャー本体１０の凹み部分１２内に複数のぬめり除去剤９を収容した後、ヘアキャッチャー本体１０側に蓋体１１を回動させて凹み部分１２を覆うとともに、突起片４７が係合孔４６に係合することでヘアキャッチャー本体１０から蓋体１１が外れることはない。この状態で、ヘアキャッチャー８を、排水トラップ２の排水口部３の排水丸穴５を覆うように嵌込む。排水がヘアキャッチャー８内を勢い良く流れても蓋体１１はヘアキャッチャー本体１０に係合しているので外れることはない。そして、排水がヘアキャッチャー８を通り抜けるときに、複数のぬめり除去剤９に接触し、ヘアキャッチャー８と排水トラップ２の排水口部３における抗菌、消臭を行うことになる。
【００１７】
図１０は、複数の粒状のぬめり除去剤９の代わりに一つの大形の筒体形状のぬめり除去剤９’を用いたこの発明の第４の実施形態を示す。図１０において、図１〜図９に示した符号と同一のものは同一または相当物である。
【００１８】
【発明の効果】
以上説明したようにこの発明によれば、例えばユニットバスの洗い場に設けた排水トラップの排水口部における抗菌、消臭機能を持つ浴室用ヘアキャッチャーを提供することができる。
【図面の簡単な説明】
【図１】この発明の第１の実施形態における使用状態を示す構成説明図である。
【図２】上記実施形態における組付け前の状態を示す構成説明図である。
【図３】上記実施形態における組付け後の状態を示す構成説明図である。
【図４】（Ａ）は、上記実施形態で用いたヘアキャッチャー本体を示す平面図である。
（Ｂ）は、上記実施形態で用いたヘアキャッチャー本体のａ−ａ線断面図である。
（Ｃ）は、上記実施形態で用いたヘアキャッチャー本体を示す底面図である。
【図５】（Ａ）は、上記実施形態で用いた蓋体を示す平面図である。
（Ｂ）は、上記実施形態で用いた蓋体の側面図である。
【図６】この発明の第２の実施形態における組付け前の状態を示す構成説明図である。
【図７】この発明の第３の実施形態における組付け状態を示す構成説明図である。
【図８】上記第３の実施形態における組付け後の状態を示す構成説明図である。
【図９】上記第３の実施形態における組付け前の状態を示す平面図である。
【図１０】この発明の第４の実施形態における組付け前の状態を示す構成説明図である。
【符号の説明】
１…浴室の洗い場、３…排水口部、８…ヘアキャッチャー、９…ぬめり除去剤。
【図１】
2005009219.tif 000003
【図２】
2005009219.tif 000004
【図３】
2005009219.tif 000005
【図４】
2005009219.tif 000006
【図５】
2005009219.tif 000007
【図６】
2005009219.tif 000008
【図７】
2005009219.tif 000009
【図８】
2005009219.tif 000010
【図９】
2005009219.tif 000011
【図１０】
2005009219.tif 000012